(57)【要約】【課題】携帯無線機のアンテナ接続部の防水構造を改良し、部品点数が少なく、組立性が良く、コストが低く、確実な防水性能を実現することができる携帯無線機の防水構造を提供する。【解決手段】携帯無線機筺体と、アンテナ防護部品の接続構造において、前記携帯無線機筺体と前記アンテナ防護部品の接続部に、前記アンテナ防護部品の円周上に防水用リブ及び溝状の接続部を設け、前記接続部に前記防水用リブをねじ込むことで防水性を保持する。【選択図】図２
2013198143.tif 000002
【特許請求の範囲】
【請求項１】
携帯無線機筺体と、アンテナ防護部品の接続構造において、
前記携帯無線機筺体と前記アンテナ防護部品の接続部に、前記アンテナ防護部品の円周上に防水用リブ及び溝状の接続部を設け、前記接続部に前記防水用リブをねじ込むことで防水性を保持することを特徴とする携帯無線機の防水構造。
【発明の詳細な説明】
【技術分野】
【０００１】
本発明は、携帯無線機用アンテナと携帯無線機本体との接続部分の防水構造においてＯリング等のパッキン部材を使用せず安定した防水性能を確保し組立、分解を容易にできる携帯無線機アンテナ接続部の防水構造である。
【背景技術】
【０００２】
従来の携帯無線機の構造としては、特許文献１に記載されるように、携帯無線機の２つのケース２１の外部に設けられるアンテナ収納部２２は下部に鍔部２２ａが設けられた高さ方向に長いドーム状の突起部として形成し、スイッチ等の操作部２３はケース２１の切欠部２１ｄの内周面に形成された凹凸部に嵌合するように操作部２３の外周面に凸凹部を形成し、両ケース２１を合体する対向面にそれぞれ凹凸部が設けられると共に、両ケース２１間に嵌着されるパッキン２４の両側面にはケース２１の凹凸部にそれぞれ係合する凸凹部を形成し、前記アンテナ収納部２２，操作部２３及びパッキン２４を弾性変形する材料で一体的に成形され、両ケース２１間に嵌着されたものがある。
【先行技術文献】
【特許文献】
【０００３】
【特許文献１】特開２００３−１８８７５６号公報
【発明の概要】
【発明が解決しようとする課題】
【０００４】
上述の従来技術の携帯無線機の防水構造では、パッキンが使用され防水性に不安があり、部品点数が多く、組立性が悪く、コストも高かった。
本発明の目的は、上述のような問題点に鑑み、携帯無線機のアンテナ接続部の防水構造を改良し、部品点数が少なく、組立性が良く、コストが低く、確実な防水性能を実現することができる携帯無線機の防水構造を提供することにある。
【課題を解決するための手段】
【０００５】
上記の目的を達成するために、本発明の携帯無線機の防水構造は、携帯無線機筺体と、アンテナ防護部品の接続構造において、前記携帯無線機筺体と前記アンテナ防護部品の接続部に、前記アンテナ防護部品の円周上に防水用リブ及び溝状の接続部を設け、前記接続部に前記防水用リブをねじ込むことで防水性を保持することを第１の特徴とする。
【０００６】
上記本発明の第１の特徴の携帯無線機の防水構造において、前記携帯無線機筺体はフロントケースとリアケースの２構成であり、前記アンテナ防護部品は前記２つのケースのどちらか一方に接続するように設けられることを本発明の第２の特徴とする。
【０００７】
上記本発明の第１の特徴の携帯無線機の防水構造において、前記防水用リブ及び溝状の接続部は少なくとも２組設けたことを本発明の第３の特徴とする。
【発明の効果】
【０００８】
本発明によれば、携帯無線機のアンテナ接続部の防水構造を改良し、部品点数が少なく、組立性が良く、コストが低く、確実な防水性能を実現することができる携帯無線機の防水構造を実現できる。
【図面の簡単な説明】
【０００９】
【図１】本発明の携帯無線機本体の一実施例の外観を示す図である。
【図２】本発明の携帯無線機本体の防水構造の一実施例を説明するための部分断面図である。
【図３】本発明の携帯無線機本体の防水構造の一実施例を説明するための部分断面図である。
【発明を実施するための形態】
【００１０】
本発明の携帯無線機の防水構造は、携帯無線機のケースとアンテナトップ（アンテナ防護部品）との接続部において、アンテナトップをエラストマ材料で形成し、当該エラストマ材料の大きな弾性を利用し、防水性能の安定化を図り、同時に部品点数を削減するものである。
以下に本発明の一実施形態について、図面等を用いて説明する。
なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、同一の機能を有する構成要素には同一の参照番号を付し、重複を避け、できるだけ説明を省略する。
【００１１】
図１〜図３によって本発明の携帯無線機の防水構造の一実施例を説明する。図１は、本発明の携帯無線機本体の一実施例の外観を示す図である。図２は、図１の携帯無線機本体の防水構造の一実施例を説明するための部分断面図である。図３は、図２の携帯無線機本体の防水構造の一実施例をさらに説明するための部分断面図である。
１０１はアンテナトップ、１０２はフロントケース、１０３はリアケース、１０４は基板接続用ホルダ、２０１は防水ラインを示す円、２０２はネジ部、２０３はアンテナトップ１０１の下端部に設けた防水用リブ、２０４はリアケース１０３と防水用リブ２０３との接続部である。
図１（ａ）は底面から携帯無線機を見た図であり、図１（ｂ）は上面から携帯無線機を見た図であり、図１（ｃ）は側面から携帯無線機を見た図である。また、図２（ａ）は図１（ｂ）と同じ図に断面を示す線を示した図であり、図２（ｂ）は図２（ａ）のＡ−Ａ断面図であり、図２（ｃ）は図２（ｂ）の防水ラインを示す円２０１の拡大図である。図３は、図２（ｃ）の防水用リブ２０３とリアケース１０３との接続をさらに説明するための図である。
【００１２】
本発明の携帯無線機の筺体は、図１等に示すように、フロントケース１０２及びリアケース１０３から構成され、アンテナトップ１０１が２つのケースからとび出している。なお、当該筺体は、２つのケース間の接合部に防水機能を設け、防水性携帯無線機を動作させるための電子機器を収納している。
携帯無線機は、他の無線機器と通信するためのアンテナを必要とし、アンテナを収納するアンテナトップ１０１が筺体外部に突出している。而して、この、筺体とアンテナとの接続部に対しても、防水性を持たせる必要がある。
従って、本発明の携帯無線機におけるアンテナの接続構造は、アンテナトップ１０１、基板接続用ホルダ１０４、リアケース１０３から構成された防水構造をとっている。
【００１３】
また、図１〜図３に示すアンテナトップ１０１は、エラストマ材料で成形している。従って、同時に成形して作られる防水用リブ２０３もまた、エラストマ材料である（図２及び図３参照。）。
図２（ｂ）に示すように、収納された電子機器と機械的及び電気的に接続している基板接続用ホルダ１０４は、ネジ部（オス）２０２を有し、当該ネジ部２０２は、アンテナトップ１０１の内壁に設けられたネジ部（メス）と締結することによって電子機器とアンテナトップ１０１を接続している。
【００１４】
そして、アンテナトップ１０１は、その下端部を囲む円周上に、防水用リブ２０３を設けている。また、リアケース１０３とアンテナトップ１０１を接続したときに、リアケース１０３の上端部の、上記ネジ部の締結時に防水用リブ２０３が当たる位置には、アンテナトップ１０１の下端部を囲む円周上に接続部２０４が設けられる。接続部２０４は、防水用リブ２０３がねじ込めるように形成された筒である。本実施例では、防水用リブ２０３と接続部２０４を２組設けているが、１組でも良いし、３組以上でも良い。
接続部２０４の筒の大きさは、防水用リブ２０３より小さく形成されている。この結果、防水用リブ２０３が接続部２０４にねじ込まれたときに、防水用リブ２０３を形成しているエラストマ材料の弾性変形により、防水用リブ２０３と接続部２０４の接続面で気密性が保持でき、携帯無線機の筺体外部とケース内との防水性が確保できる。
【００１５】
即ち、本発明の携帯無線機の防水構造は、筺体の内部に収納された電子機器から筺体外部に引き出されるアンテナを収納する、エラストマ材料で成形されるアンテナトップと、前記電子機器に接続し前記アンテナトップと接続するためのネジ部を有する基板接続用ホルダと、前記アンテナトップの下端側の円周上に設けられ、前記アンテナトップと一体化成形で設けられる防水用リブと、前記ケースの前記防水用リブに対応する位置に設けられ、前記防水用リブより小径の筒状の接続部とを備えたものである。
【００１６】
図１〜図３の実施例によれば、他部品を使用することなく安定した防水性能を得ることができる。さらに、アンテナトップ１０１にＯリング等のパッキンを組み込むための溝形状が不用となる。この結果、防水用リブ２０３を設けるスペースを増やすことができ、小スペースで部品点数を滅らしつつ確実な防水構造を実現可能とした。
なお、防水用リブ２０３は、容易に増やすことができるため、機密性の要求度に応じて、防水性を確保でき、かつ防水性の向上を図ることができる。
また、図３に示すように、基板接続用ホルダ１０４のねじ込む量により、防水用リブ２０３の変形量が変えることができ、組立性及び防水性に関しての調整が、容易に実現できる。
なお、上記実施例では、アンテナトップに防水用リブを設け、リアケースに接続用の溝を設けた。しかし、逆に、アンテナトップに接続用の溝を設け、リアケースに防水用リブを設けても良い。また、防水用リブと溝状の接続部を２組設けて説明したが、１組でも良く、３組以上であっても良いことは勿論である。
【符号の説明】
【００１７】
１０１：アンテナトップ、  １０２：フロントケース、  １０３：リアケース、  １０４：基板接続用ホルダ、  ２０１：防水ラインを示す円、  ２０２：ネジ部、  ２０３：防水用リブ、  ２０４：接続部。
【図１】
2013198143.tif 000003
【図２】
2013198143.tif 000004
【図３】
2013198143.tif 000005